(57)【要約】【課題】ゴルフクラブ収納ケース内でウッドクラブのシャフトにアイアンクラブのヘッドが直接当接しない構成を提供して、ウッドクラブシャフトの化粧仕上面を何時までも美しく保持可能であり、また、アイアンヘッドに付着した泥等のよごれがウッドクラブに悪影響を与えることを防止できるゴルフクラブ収納ケースを提供する。【解決手段】ハーフセット用の複数本のゴルフクラブを持ち運ぶためのクラブ収納ケース１であり、該クラブ収納ケース１のケース内にてウッドクラブ８ａ、８ｂのシャフト部１０ａ、１０ｂにアイアンクラブ１１ａ、１１ｂ、１１ｃのヘッド部１２ａ、１２ｂ、１２ｃが直接当接することがないように、少なくとも該ウッドクラブシャフト部１０ａ、１０ｂとアイアンクラブヘッド部１２ａ、１２ｂ、１２ｃ間のそれぞれの相当部位間に分離部７を形成した。【選択図】図３
0003101927.tif 000002
【実用新案登録請求の範囲】
【請求項１】
ハーフセット用等複数本のゴルフクラブを持ち運ぶための収納ケースであって、該ケース内にてウッドクラブのシャフト部にアイアンクラブのヘッド部が直接当接することがないように、少なくとも該ウッドクラブのシャフト部とアイアンクラブのヘッド部のそれぞれ相当部位間に分離部を形成したこと、を特徴とするウッドクラブシャフト部の防護機能付きゴルフクラブ収納ケース。
【請求項２】
前記分離部が、前記ウッドクラブのシャフト部とアイアンクラブのヘッド部のそれぞれ相当部位間にのみ形成され、且つ該部以外には形成されていないこと、を特徴とする請求項１記載のウッドクラブシャフト部の防護機能付きゴルフクラブ収納ケース。
【請求項３】
ハーフセット用の複数本のゴルフクラブを持ち運ぶための収納ケースであって、該ケース内にてウッドクラブのシャフト部にアイアンクラブのヘッド部が直接当接することのないように、該ウッドクラブとアイアンクラブの出し入れ口を別個に設け、且つ該出し入れ口に別個に収納されるウッドクラブとアイアンクラブ間に分離部を形成したこと、を特徴とするウッドクラブシャフト部の防護機能付きゴルフクラブ収納ケース。
【請求項４】
前記分離部が、前記収納ケース上部相当部位間にのみ形成され且つ該部以外には形成されないこと、を特徴とする請求項３記載のウッドクラブシャフト部の防護機能付きゴルフクラブ収納ケース。
【請求項５】
ハーフセット用の複数本のゴルフクラブを持ち運ぶための収納ケースであって、該収納ケース内にてウッドクラブのシャフト部にアイアンクラブのヘッド部が直接当接することのないように、該ウッドクラブとアイアンクラブの出し入れ口を別個に設け、且つ該ウッドクラブのシャフト部にアイアンクラブのヘッド部が当接する相当部位間に分離部を設け、更に該分離部にて形成されるウッドヘッドの収納部並びにアイアンヘッドの収納部にそれぞれのクラブヘッドを収納するための内ポケットを更に形成したこと、
を特徴とする防護機能付ゴルフクラブの収納ケース。
【請求項６】
前記分離部が高密度発泡素材などのクッション素材により形成されていること、を特徴とする請求項１乃至請求項５記載のウッドクラブシャフト部の防護機能付きゴルフクラブ収納ケース。
【考案の詳細な説明】
【技術分野】
【０００１】
本考案は、ゴルフクラブ収納ケースに係るものであり、詳しくは、主として練習用やハーフコース用として簡易的に使用されているハーフセットのゴルフクラブ収納ケースの改良に関するものである。
【背景技術】
【０００２】
ゴルフクラブを入れて持ち運ぶためのバッグには、フルセット用のキャディバックと練習用やハーフコース用に簡易的に使用されている所謂ハーフセット用ゴルフクラブケースがある。
該ハーフセット用ゴルフクラブケースは、通常２本程度のウッドクラブと３から４本程度のアイアンにパター等を加えて持ち運ぶもので、フルセット用のキャディバックに比較して小さい円筒形等の収納ケースであり、携帯性にすぐれているので気楽に練習場通い等に用いられていることが多い。
【０００３】
然しながら、従来のハーフセット用クラブ収納ケースでは、シャフトの長いウッドクラブとシャフトの短いアイアンクラブを混在せしめて収納するゴルフクラブ収納ケースであることから、アイアンクラブのヘッドがウッドクラブのシャフトに当たってしまい、結果ウッドシャフトに傷を作ってしまったり、ウッドクラブのシャフトの化粧仕上面を削り取ってウッドクラブシャフトの寿命を短くしている。また、アイアンヘッドに付着した泥等のよごれがウッドクラブに悪影響を与えることが多くあった。
【考案の開示】
【考案が解決しようとする課題】
【０００４】
本考案が解決しようとする課題は、従来の所謂ハーフセット用クラブ収納ケースが、シャフトの長いウッドクラブとシャフトの短いアイアンクラブを混在せしめて収納するゴルフクラブ収納ケースであることから、アイアンクラブのヘッドがウッドクラブのシャフトに当たってしまいウッドシャフトに傷を作ってしまうことを防止できる構成をもつウッドクラブシャフト部の防護機能付ゴルフクラブ収納ケースを提供するものである。
【０００５】
また、本考案は、ゴルフクラブ収納ケース内でウッドクラブのシャフトにアイアンクラブのヘッドが直接当接しない構成を提供して、ウッドクラブシャフトの化粧仕上面を何時までも美しく保持可能であり、また、ウッドヘッドに付着した泥等のよごれがアイアンヘッドに悪影響を与えることを防止できるゴルフクラブ収納ケースを提供するものである。
【課題を解決するための手段】
【０００６】
上記目的を解決するために本考案は、ハーフセット等複数本のゴルフクラブを持ち運ぶための収納ケースにおいて、該クラブケースはケース内にてウッドクラブのシャフト部にアイアンクラブのヘッドが直接当接することがないように、少なくとも該ウッドクラブシャフト部とアイアンクラブヘッド部間のそれぞれの相当部位間には分離部を形成してなるものである。
【０００７】
また、本考案では、ハーフセット用の複数本のゴルフクラブを持ち運ぶためのケースにおいて、該クラブケースはケース内にてウッドクラブのシャフト部にアイアンクラブのヘッドが直接当設することのないように、少なくとも該ウッドクラブとアイアンクラブの出し入れ口を別個に設け、より好ましくは、該ウッドクラブのシャフトにアイアンクラブのヘッドが当接する相当部位間に設けられる分離部はクラブ取り出し相当部位間のみに分離部を形成してその他には形成しない構成のゴルフクラブ収納ケースを提供した。
【０００８】
更にまた、本考案は、ハーフセット用の複数本のゴルフクラブを持ち運ぶためのケースにおいて、該クラブケースはケース内にてウッドクラブのシャフト部にアイアンクラブのヘッドが直接当設することのないように、該ウッドクラブとアイアンクラブの出し入れ口を別個に設け、該ウッドクラブのシャフトにアイアンクラブのヘッドが当接する相当部位間には分離部が設けられており、且つ該分離部にて形成されるウッドヘッドの収納部並びにアイアンヘッドの収納部にはそれぞれのクラブヘッドが収納されるポケットが形成されており持ち運び時に互いのゴルフクラブヘッドが他のゴルフクラブシャフトや、ヘッドに当接しない構成をも提供している。
【０００９】
そして、上記分離部は高密度発泡素材などのクッション素材より形成されていることも考慮に入れられうる。
【考案の効果】
【００１０】
而して、本考案は上述の解決手段を提供することにより、所謂ハーフセット用クラブ収納ケースが、シャフトの長いウッドクラブとシャフトの短いアイアンクラブを混在せしめて収納する従来型のゴルフクラブ収納ケースであっても、アイアンクラブのヘッドがウッドクラブのシャフトに当たってしまいウッドシャフトに傷を作ってしまうことを防止することができた。
【００１１】
また、本考案は、ゴルフクラブ収納ケース内でウッドクラブのシャフトにアイアンクラブのヘッドが直接当接しない構成を提供して、ウッドクラブシャフトの化粧仕上面を何時までも美しく保持可能であり、また、アイアンヘッドに付着した泥等のよごれがウッドクラブに悪影響を与えることを防止出来る。
【考案を実施するための最良の形態】
【００１２】
斯くして、本考案は、ハーフセット用の複数本のゴルフクラブを持ち運ぶためのクラブ収納ケースであって、該クラブ収納ケースのケース内にてウッドクラブのシャフト部にアイアンクラブのヘッドが直接当接することがないように、少なくとも該ウッドクラブシャフト部とアイアンクラブヘッド部間のそれぞれの相当部位間に、分離部を形成したものである。
【００１３】
また、本考案はハーフセット用の複数本のゴルフクラブを持ち運ぶためのクラブ収納ケースにおいて、該クラブ収納ケース内にてウッドクラブのシャフト部にアイアンクラブのヘッドが直接当設することのないように、該ウッドクラブとアイアンクラブの出し入れ口を別個に設け、且つ該ウッドクラブのシャフト部にアイアンクラブのヘッド部が当接する相当部位間に設けられる分離部は好ましくはクラブの出し入れ口、殊に上部相当部位間のみ、に形成してその他には形成しない構成とした。
【００１４】
更に、本考案では、ハーフセット用の複数本のゴルフクラブを持ち運ぶためのクラブ収納ケースにおいて、該クラブ収納ケースは、ケース内にてウッドクラブのシャフト部にアイアンクラブのヘッドが直接当接することのないように、少なくとも該ウッドクラブとアイアンクラブの出し入れ口を別個に設け、該ウッドクラブのシャフトにアイアンクラブのヘッドが当接する相当部位間には分離部が設けられており、且つ該分離部にて形成されるウッドヘッドの収納部並びにアイアンヘッドの収納部にはそれぞれのクラブヘッドが収納されるポケットが形成されている構成とすることもできる。
【００１５】
また、前記分離部を高密度発泡素材などのクッション素材により形成することにより収納され持ち運びされるクラブを保護する構成も好もしい。
【実施例１】
【００１６】
図１乃至図６は本考案の実施例を示す説明図であり、図１は形状全体を示す説明図、図２は要部拡大説明図、図３はゴルフクラブの収納状態を示す要部切断面図、図４は図１のA−A断面説明図、図５は図１のＢ−Ｂ断面説明図、図６は図１のＣ−Ｃ断面説明図を示している。
【００１７】
図１乃至図６において、１は本考案のゴルフクラブ収納ケースを示し、２はドライバーポケット、３はアイアンポケット、４は小物入れポケット、５はゴルフクラブのグリップとシャフト部分の収納部となる筒部、６ａ６ｂはゴルフクラブの出し入れ口を構成するファスナー、７はドライバーポケット２とアイアンポケット３間に設けられた分離部、８ａ、８ｂはドライバーポケット２に収納されるウッドクラブ、９ａ、９ｂはウッドクラブのヘッド部、１０ａ、１０ｂはウッドクラブのシャフト部、11ａ、１１ｂ、11ｃはアイアンクラブ、１２ａ、１２ｂ、１２ｃはアイアンクラブのヘッド部、１３ａ、１３ｂ、１３ｃはアイアンクラブのシャフト部をそれぞれ示している。
【００１８】
而して本考案は、ハーフセット用の複数本のゴルフクラブを持ち運ぶためのクラブ収納ケース１、該クラブ収納ケース１のケース内にてウッドクラブ８ａ、８ｂのシャフト部１０ａ、１０ｂにアイアンクラブ１１ａ、１１ｂ、１１ｃのヘッド部１２ａ、１２ｂ、１２ｃが直接当接することがないように、少なくとも該ウッドクラブシャフト部１０ａ、１０ｂとアイアンクラブヘッド部１２ａ、１２ｂ、１２ｃ間のそれぞれの相当部位間に分離部７を形成している。
【００１９】
本考案の特徴は上記構成を一つのポケット内、例えば前記ドライバーポケット２内に構成することによっても達成することが可能であるが、実施例１においては、クラブ収納ケース上部１４にドライバーポケット２とアイアンポケット３を別個に設けた構成となし、それぞれの出し入れ口にファスナー６ａ、６ｂを設けた。
【００２０】
そして該ウッドクラブ８ａ、８ｂのシャフト部１０ａ、１０ｂにアイアンクラブ１１ａ、１１ｂ、１１ｃのヘッド部１２ａ、１２ｂ、１２ｃが直接当接してしまう相当部位間には適宜高密度発泡素材などのクッション素材その他素材により形成された分離部７が設けられており、該分離部７にて構成されるウッドヘッドの収納部１５並びにアイアンヘッドの収納部１６にはそれぞれのクラブヘッドが収納されるポケット２、３が形成されている。
【００２１】
斯くして、本考案の実施例１を図４乃至図６に基づき説明すると図４乃至図６図において、１は本考案のゴルフクラブ収納ケース、２はドライバーポケット、３はアイアンポケット、４は小物入れポケット、５はゴルフクラブのグリップとシャフト部分の収納部となる筒部、６ａ、６ｂはゴルフクラブの出し入れ口ファスナー、７はドライバーポケット２とアイアンポケット３間に設けられた分離部、９ａ、９ｂはウッドクラブのヘッド部、１０ａ、１０ｂはウッドクラブのシャフト部、１２ａ、１２ｂ、１２ｃはアイアンクラブのヘッド部、１３ａ、１３ｂ、１３ｃはアイアンクラブのシャフト部、１５は外部側構成部材をそれぞれ示している。
【００２２】
図４は、本考案を実施したゴルフクラブ収納ケース全体形状を示す図１のＡ−Ａ断面説明図を示しており、該図４にあっては、アイアンクラブよりシャフト部分が長いウッドヘッド部９ａ、９ｂが、外部側構成部材１５とドライバーポケット２とアイアンポケット３間に設けられた分離部７にて構成されたドライバーポケット内に収納されている。
【００２３】
図５は本考案を実施したゴルフクラブ収納ケース全体形状を示す図１のＢ−Ｂ断面説明図を示しており、該図５に示されるアイアンクラブのヘッド部１２ａ、１２ｂ、１２ｃの位置は前記ウッドクラブ８ａ、８ｂのシャフト部１０ａ、１０ｂに当接する位置に有るが、本考案での実施例では、図５に示す如く、アイアンポケット３が外部側構成部材１５と分離材７にて構成されてアイアンポケット３を作り出しておりアイアンクラブのヘッド部１２ａ、１２ｂ、１２ｃがウッドクラブのシャフト部１０ａ、１０ｂに直接当接してウッドシャフト部１０ａ、１０ｂに傷を作ってしまうことを防止することができた。
【００２４】
また、本考案の実施例１においては、ゴルフクラブ収納ケース１内でウッドクラブのシャフト部１０ａ、１０ｂにアイアンクラブのヘッド部１２ａ、１２ｂ、１２ｃが直接当接しない構成を提供して、ウッドクラブのシャフト部１０ａ、１０ｂの化粧仕上面を何時までも美しく保持可能であり、また、アイアンクラブのヘッド部１２ａ、１２ｂ、１２ｃに付着した泥等のよごれがウッドクラブ８ａ，８ｂに悪影響を与えることを防止できた。
【００２５】
更に本考案の実施例１では、図１のＣ−Ｃ断面説明図である図６の如く、ウッドクラブのグリップ１７ａ、１７ｂやアイアンクラブのグリップ１８ａ、１８ｂ、１８ｃはまとめてゴルフクラブ収納ケース１の筒部５に収納されている。
【実施例２】
【００２６】
図７並びに図８に基づき実施例２を説明する。図７は図１のＡ−Ａ断面説明図を示しており、図８は図１のＢ−Ｂ断面説明図を示している。図７、図８において、１はゴルフクラブ収納ケース、２はドライバーポケット、３はアイアンポケット、６ａ、６ｂはファスナー、７は分離部、９ａ、９ｂはウッドクラブのヘッド部、１２ａ、１２ｂ、１２ｃはアイアンクラブのヘッド部、１４はクラブ収納ケース上部、１５はウッドヘッドの収納部、１６はアイアンヘッドの収納部、１７ａ、１７ｂはウッドクラブのグリップ、をそれぞれ示している。
【００２７】
斯くして、本発明の実施例２は、ハーフセット用の複数本のゴルフクラブを持ち運ぶための収納ケースケース１に於いて、該ケース内にてウッドクラブのシャフト部９ａ、９ｂにアイアンクラブのヘッド部１２ａ、１２ｂ、１２ｃが直接当接することのないように、少なくとも該ウッドクラブ８ａ、８ｂとアイアンクラブ１１ａ、１１ｂ、１１ｃの出し入れ口を別個に設け、該ウッドクラブのシャフト部１０ａ、１０ｂにアイアンクラブのヘッド部１２ａ、１２ｂ、１２ｃが当接する相当部位間には分離部７が設けられており、該分離部７にて形成されるウッドヘッドの収納部１５並びにアイアンヘッドの収納部１６にはそれぞれのクラブヘッドが収納される内ポケット１９、２０が形成されている。
【００２８】
そして、実施例２においては、ウッドクラブ８ａ、８ｂとアイアンクラブ１１ａ、１１ｂ、１１ｃの当接による損傷のみならず、収納ケース運搬中にクラブ同士が接触してスリ傷等を生じせしめない防護機能付ゴルフクラブ収納ケースを提供することができた。尚、上記内ポケット１９、２０に使用される材料も高密度発泡素材などのクッション素材により形成されていることが、より望ましいことは言うまでない。
【産業上の利用可能性】
【００２９】
斯くして本考案は簡単で安価な構成にてゴルフクラブを持ち運び中に損傷せしめない防護機能付ゴルフクラブ収納ケースを提供することができたもので、該商品価値は多大なものがあり、産業上の利用価値は大なるものがある。
【図面の簡単な説明】
【００３０】
【図１】本考案を施したゴルフクラブ収納ケースの全体形状を示す説明図である。
【図２】図１の要部拡大説明図である。
【図３】ゴルフクラブの収納状態を示す要部切断面図である。
【図４】図１のＡ−Ａ断面説明図である。
【図５】図１のＢ−Ｂ断面説明図である。
【図６】図１のＣ−Ｃ断面説明図である。
【図７】本考案の実施例２を図１のＡ−Ａ断面説明図に実施した例を示す説明図である。
【図８】本考案の実施例２を図１のＢ−Ｂ断面説明図に実施した例を示す説明図である。
【符号の説明】
【００３１】
１  ゴルフクラブ収納ケース
２  ドライバーポケット
３  アイアンポケット  
４  小物入れポケット
５  筒部
６ａ、６ｂ  ファスナー  
７  分離部
８ａ、８ｂ  ウッドクラブ
９ａ、９ｂ  ウッドクラブのヘッド部
１０ａ、１０ｂ  ウッドクラブのシャフト部
１１ａ、１１ｂ、１１ｃ  アイアンクラブ
１２ａ、１２ｂ、１２ｃ  アイアンクラブのヘッド部
１３ａ、１３ｂ、１３ｃ  アイアンクラブのシャフト部  
１４  クラブ収納ケース上部  
１５  ウッドヘッドの収納部
１６  アイアンヘッドの収納部
１７ａ、１７ｂ  ウッドクラブのグリップ
１８ａ、１８ｂ、１８ｃ  アイアンクラブのグリップ
１９  内ポケット
２０  内ポケット
【図１】
0003101927.tif 000003
【図２】
0003101927.tif 000004
【図３】
0003101927.tif 000005
【図４】
0003101927.tif 000006
【図５】
0003101927.tif 000007
【図６】
0003101927.tif 000008
【図７】
0003101927.tif 000009
【図８】
0003101927.tif 000010